(57)【要約】【課題】  レジストレーション調整の際の操作性の向上を図る。【解決手段】  表示部の水平方向に並んでいる調整ポイントを１列及び１行ごとに表示状態を調整する調整装置において、表示部の表示状態の調整を行う方向として、水平方向又は垂直方向を指定する調整方向指定部と、調整方向指定部により水平方向が指定された場合、表示部の水平方向に並んでいる所定の調整ポイント１列を列カーソルで選択し、調整方向指定部により垂直方向が指定された場合、表示部の垂直方向に並んでいる所定の調整ポイント１行を行カーソルで選択する選択部と、列カーソルを水平方向に移動し、行カーソルを垂直方向に移動する移動部と、列カーソルにより選択されている調整ポイント１列又は、行カーソルにより選択されている調整ポイント１行における表示状態を調整する調整手段とを備える。【選択図】  図１
2005121978.tif 000002
【特許請求の範囲】
【請求項１】
表示部の走査線上から所定の間隔で調整ポイントを抽出し、上記表示部の水平方向に並んでいる調整ポイントを１列ごとに表示状態を調整し、上記表示部の垂直方向に並んでいる調整ポイントを１行ごとに表示状態を調整する調整装置において、
上記表示部の表示状態の調整を行う方向として、水平方向又は垂直方向を指定する調整方向指定手段と、
上記調整方向指定手段により水平方向が指定された場合、上記表示部の水平方向に並んでいる所定の調整ポイント１列を列カーソルで選択し、上記調整方向指定手段により垂直方向が指定された場合、上記表示部の垂直方向に並んでいる所定の調整ポイント１行を行カーソルで選択する選択手段と、
上記列カーソルを水平方向に移動し、上記行カーソルを垂直方向に移動する移動手段と、
上記列カーソルにより選択されている調整ポイント１列又は、上記行カーソルにより選択されている調整ポイント１行における表示状態を調整する調整手段とを備え、
上記移動手段は、
上記列カーソルを上記表示部の水平方向に移動し、一方端側に並んでいる調整ポイント１列に達した場合、上記列カーソルを他方端側に並んでいる調整ポイント１列に移動し、
上記行カーソルが上記表示部の垂直方向に移動し、一方端側に並んでいる調整ポイント１行に達した場合、上記行カーソルを他方端側に並んでいる調整ポイント１行に移動することを特徴とする調整装置。
【請求項２】
上記選択手段は、
上記調整方向指定手段により水平方向が指定された場合、上記表示部の中央に水平方向に並んでいる調整ポイント１列を列カーソルで選択し、
上記調整方向指定手段により垂直方向が指定された場合、上記表示部の中央に垂直方向に並んでいる所定の調整ポイント１行を行カーソルで選択することを特徴とする請求項１記載の調整装置。
【請求項３】
表示部の走査線上から所定の間隔で調整ポイントを抽出し、上記表示部の水平方向に並んでいる調整ポイントを１列ごとに表示状態を調整し、又は、上記表示部の垂直方向に並んでいる調整ポイントを１行ごとに表示状態を調整する調整方法において、
上記表示部の表示状態の調整を行う方向として、水平方向又は垂直方向を指定し、
上記指定により水平方向が指定された場合、上記表示部の水平方向に並んでいる所定の調整ポイント１列を列カーソルで選択し、又は、上記調整方向指定手段により垂直方向が指定された場合、上記表示部の垂直方向に並んでいる所定の調整ポイント１行を行カーソルで選択し、
上記列カーソルが選択された場合、上記列カーソルを水平方向に移動し、一方端側に並んでいる調整ポイント１列に達したとき、上記列カーソルを他方端側に並んでいる調整ポイント１列に移動し、又は、上記行カーソルが選択された場合、上記行カーソルを垂直方向に移動し、一方端側に並んでいる調整ポイント１行に達したときに、上記行カーソルを他方端側に並んでいる調整ポイント１行に移動し、
上記列カーソルにより選択されている調整ポイント１列又は、上記行カーソルにより選択されている調整ポイント１行における表示状態を調整することを特徴とする調整方法。
【発明の詳細な説明】
【技術分野】
【０００１】
本発明は、表示部の表示状態を調整する調整装置及び方法に関し、詳細には、表示部の微調整を行う際に、走査線上から抽出した調整ポイントが水平方向に並んでいる１行単位で表示状態を調整し、かつ、上記調整ポイントが垂直方向に並んでいる１列単位で表示状態を調整する調整装置及び方法に関する。
【背景技術】
【０００２】
図１０に示すようにＲ信号，Ｇ信号及びＢ信号の３原色の画像をそれぞれ出力する３つの陰極線管（ＣＲＴ：Cathode-Ray Tube）、ＣＲＴ３０Ｒ，ＣＲＴ３０Ｇ及びＣＲＴ３０Ｂを備え、スクリーンにＲ信号、Ｇ信号及びＢ信号の合成画像を投射する３管式ＣＲＴプロジェクタがある。３管式ＣＲＴプロジェクタは、ＣＲＴ３０Ｒ，ＣＲＴ３０Ｇ及びＣＲＴ３０Ｂのそれぞれから投射されるＲ信号、Ｇ信号及びＢ信号のスクリーン上の投射位置が互いに異なることからスクリーンに結像する画像が歪んだり、色ズレが発生してしまうといった問題があった。
【０００３】
このような画像の歪みや色ズレを補正するために、３管式ＣＲＴプロジェクタは、レジストレーション装置を備えている。レジストレーション装置は、補正波形信号を生成し、生成した補正波形信号に応じた偏向電流を各ＣＲＴが備える所定のレジストレーション用の偏向ヨークに供給することで画像の歪みや色ズレなどを補正する装置である。
【０００４】
この３管式ＣＲＴプロジェクタでは、図１１のフローチャートに示す手順でレジストレーション調整がなされている。まず、水平同期信号及び垂直同期信号に基づいて各ＣＲＴに画像を走査させるメイン偏向調整（ステップＳ５０）が行われた後、レジストレーション装置によってスクリーンに投射されたスクリーン全体の歪みや色ズレなどを調整する粗調整（以下、粗調と呼び、粗調を行うモードを粗調モードという）が実行され（ステップＳ５１）、続いて、スクリーン上に設けられた複数の調整ポイントの歪みや色ズレなどを独立して調整する微調整（以下、微調と呼び、微調を行うモードを微調モードという）が実行される（ステップＳ５２）。このように、レジストレーション調整には、粗調モードと、微調モードとがある。
【０００５】
また、粗調を実行した後の微調モードでのレジストレーション調整作業としてはスクリーン上の水平方向の１行又は垂直方向の１列の調整ポイントを同方向に同じ調整量だけ調整するといった作業が多いため、上述したレジストレーション調整装置にて調整ポイントを個別に調整するとすれば、調整操作が非常に煩雑となってしまう。
【０００６】
そこで、個々の調整ポイントでレジストレーション調整をするのではなく、水平方向においては、一方端から他方端に並んでいる１行分の調整ポイントをまとめてレジストレーション調整を行い、また、垂直方向においては、一方端から他方端に並んでいる１列分の調整ポイントをまとめてレジストレーション調整を行う技術がある（例えば、特許文献１参照。）。
【０００７】
ところで、水平方向の各行ごとにレジストレーション調整を行う場合、表示スクリーンの中央に位置する行を調整開始行とし、該調整開始行から一方端へ順次調整を行ってゆき、また、垂直方向の各列ごとにレジストレーション調整を行う場合、表示スクリーンの中央に位置する列を調整開始列とし、該調整開始列から一方端へ順次調整を行ってゆく。
【０００８】
このとき、レジストレーション調整が水平方向又は垂直方向の一方端に達した場合、再び所定の調整開始行又は調整開始列を指定しなければならず、レジストレーション調整を行う上で煩雑な作業を必要としていた。
【０００９】
【特許文献１】特開２００２−３４４９８５号公報
【発明の開示】
【発明が解決しようとする課題】
【００１０】
解決しようとする問題点は、レジストレーション調整の微調整モードにおける操作性の煩雑さを解消し、調整に掛かる時間を短くする点にある。
【課題を解決するための手段】
【００１１】
本発明に係る調整装置は、上述の課題を解決するために、表示部の走査線上から所定の間隔で調整ポイントを抽出し、上記表示部の水平方向に並んでいる調整ポイントを１列ごとに表示状態を調整し、上記表示部の垂直方向に並んでいる調整ポイントを１行ごとに表示状態を調整する調整装置において、上記表示部の表示状態の調整を行う方向として、水平方向又は垂直方向を指定する調整方向指定手段と、上記調整方向指定手段により水平方向が指定された場合、上記表示部の水平方向に並んでいる所定の調整ポイント１列を列カーソルで選択し、上記調整方向指定手段により垂直方向が指定された場合、上記表示部の垂直方向に並んでいる所定の調整ポイント１行を行カーソルで選択する選択手段と、上記列カーソルを水平方向に移動し、上記行カーソルを垂直方向に移動する移動手段と、上記列カーソルにより選択されている調整ポイント１列又は、上記行カーソルにより選択されている調整ポイント１行における表示状態を調整する調整手段とを備え、上記移動手段は、上記列カーソルを上記表示部の水平方向に移動し、一方端側に並んでいる調整ポイント１列に達した場合、上記列カーソルを他方端側に並んでいる調整ポイント１列に移動し、上記行カーソルが上記表示部の垂直方向に移動し、一方端側に並んでいる調整ポイント１行に達した場合、上記行カーソルを他方端側に並んでいる調整ポイント１行に移動することを特徴とする。
【００１２】
また、本発明に係る調整方法は、上述の課題を解決するために、表示部の走査線上から所定の間隔で調整ポイントを抽出し、上記表示部の水平方向に並んでいる調整ポイントを１列ごとに表示状態を調整し、又は、上記表示部の垂直方向に並んでいる調整ポイントを１行ごとに表示状態を調整する調整方法において、上記表示部の表示状態の調整を行う方向として、水平方向又は垂直方向を指定し、上記指定により水平方向が指定された場合、上記表示部の水平方向に並んでいる所定の調整ポイント１列を列カーソルで選択し、又は、上記調整方向指定手段により垂直方向が指定された場合、上記表示部の垂直方向に並んでいる所定の調整ポイント１行を行カーソルで選択し、上記列カーソルが選択された場合、上記列カーソルを水平方向に移動し、一方端側に並んでいる調整ポイント１列に達したとき、上記列カーソルを他方端側に並んでいる調整ポイント１列に移動し、又は、上記行カーソルが選択された場合、上記行カーソルを垂直方向に移動し、一方端側に並んでいる調整ポイント１行に達したときに、上記行カーソルを他方端側に並んでいる調整ポイント１行に移動し、上記列カーソルにより選択されている調整ポイント１列又は、上記行カーソルにより選択されている調整ポイント１行における表示状態を調整することを特徴とする。
【発明の効果】
【００１３】
本発明に係る調整装置及び方法は、表示部の走査線上から所定の間隔で調整ポイントを抽出し、上記表示部の水平方向に並んでいる調整ポイントを１列ごとに表示状態を調整し、又は、上記表示部の垂直方向に並んでいる調整ポイントを１行ごとに表示状態を調整する際、表示部の中央に水平方向に並んでいる調整ポイント１列を列カーソルで選択し、又は表示部の中央に垂直方向に並んでいる調整ポイント１行を行カーソルで選択し、列カーソル又は行カーソルが表示部の一方端側に達したとき、列カーソル又は行カーソルを表示部の他方端側に移動するので、レジストレーション調整の微調整モードにおける操作性の煩雑さを解消し、調整に掛かる時間を短くすることができる。
【発明を実施するための最良の形態】
【００１４】
以下、本発明に係る調整装置及び方法の実施の形態を図面を参照にして詳細に説明する。
【００１５】
本発明に係る調整装置は、図１にブロック図として示す３管式ＣＲＴ（Cathode-Ray Tube）プロジェクタに適用される。なお、ＣＲＴプロジェクタは、供給される映像信号を拡大して所定のスクリーンなどに投射する装置である。
【００１６】
３管式ＣＲＴプロジェクタ１は、所定の映像処理を行う映像信号処理ブロック２と、映像信号処理ブロック２から供給される信号を各ＣＲＴに供給するＣＲＴドライバ３と、ＣＲＴドライバ３から供給された信号に基づき所定の信号を生成するメイン偏向回路４と、レジストレーション補正を行うレジストレーション補正用回路ブロック（以下「サブ偏向ブロック」という）５と、スクリーン上に映像信号を照射するＣＲＴ６Ｒ，ＣＲＴ６Ｇ及びＣＲＴ６Ｂと、３管式ＣＲＴプロジェクタ１を統括的に制御するＣＰＵ９と、ユーザによる操作に応じて操作信号ＯＳを生成し、生成した操作信号ＯＳをＣＰＵ９に供給するコントローラ１０を備えている。特に、ＣＲＴ６Ｒ，ＣＲＴ６Ｇ及びＣＲＴ６Ｂは、それぞれ３原色のＲ信号、Ｇ信号及びＢ信号が入力される図示しないカソード電極を備えた陰極線管であり、入力されたＲ信号、Ｇ信号及びＢ信号を偏向させて走査するための偏向ヨーク７Ｒ，偏向ヨーク７Ｇ及び偏向ヨーク７ＢがＣＲＴ６Ｒ，ＣＲＴ６Ｇ及びＣＲＴ６Ｂのネック部にそれぞれ備えられている。また、ＣＲＴ６Ｒ，ＣＲＴ６Ｇ及びＣＲＴ６Ｂには、偏向ヨーク７Ｒ，偏向ヨーク７Ｇ及び偏向ヨーク７Ｂとは別に、レジストレーション調整用のサブ偏向ヨーク８Ｒ，サブ偏向ヨーク８Ｇ及びサブ偏向ヨーク８Ｂが、ネック部の図示しないカソード電極側にそれぞれ配設されている。また、偏向ヨーク７Ｒ，偏向ヨーク７Ｇ及び偏向ヨーク７Ｂ、及びサブ偏向ヨーク８Ｒ，サブ偏向ヨーク８Ｇ及びサブ偏向ヨーク８Ｂは、ＣＲＴ６Ｒ，ＣＲＴ６Ｇ及びＣＲＴ６Ｂの図示しないカソード電極から入力されたＲ信号、Ｇ信号及びＢ信号を水平方向に偏向させるための磁界を形成する水平偏向コイルと、垂直方向に偏向させるための磁界を形成する垂直偏向コイルをそれぞれ備えており、この水平偏向コイル及び垂直偏向コイルに偏向電流が印加されることでＲ信号、Ｇ信号及びＢ信号が偏向され走査線が形成される。
【００１７】
映像信号処理ブロック２は、入力された所定の信号を水平同期信号ＨＳ及び垂直同期信号ＶＳからなる同期信号と、映像信号ＩＳとに分離する。映像信号処理ブロック２は、水平同期信号ＨＳ及び垂直同期信号ＶＳをＣＲＴドライバ３及びサブ偏向ブロック５に送出し、映像信号ＩＳをＣＲＴドライバ３へ送出する。
【００１８】
ＣＲＴドライバ３は、映像信号処理ブロック２から送出された映像信号ＩＳをＲ信号，Ｇ信号及びＢ信号に分離して、分離したＲ信号，Ｇ信号及びＢ信号をＣＲＴ６Ｒ，ＣＲＴ６Ｇ及びＣＲＴ６Ｂのそれぞれが備える図示しないカソード電極に供給する。また、ＣＲＴドライバ３は、水平同期信号ＨＳ及び垂直同期信号ＶＳをメイン偏向回路４に供給する。
【００１９】
メイン偏向回路４は、ＣＲＴドライバ３から供給された水平同期信号ＨＳに同期した水平周期の偏向電流及び垂直同期信号ＶＳに同期した垂直周期の偏向電流（例えば、のこぎり波電流）を生成し、生成した偏向電流をＣＲＴ６Ｒの偏向ヨーク７Ｒ，ＣＲＴ６Ｇの偏向ヨーク７Ｇ及びＣＲＴ６Ｂの偏向ヨーク７Ｂに供給する。また、図示しないが、メイン偏向回路４は、偏向ヨーク７Ｒ，偏向ヨーク７Ｇ及び偏向ヨーク７Ｂのそれぞれが備える水平偏向コイル及び垂直偏向コイルにそれぞれ偏向電流を供給するための出力を２系統づつ備えている。
【００２０】
サブ偏向ブロック５は、システムＩＣ１１と、アンプ１２Ｒ，アンプ１２Ｂ及びアンプ１２Ｇとを備えており、３管式ＣＲＴプロジェクタ１のレジストレーション調整を行う。レジストレーション調整とは、３管式ＣＲＴプロジェクタ１において生ずるスクリーンなどに投射された画像の歪みや、色ズレを補正するための処理であり、例えば、Ｒ信号、Ｇ信号及びＢ信号によって生成される画像に現れる歪み成分などを補正するための補正波形信号を生成し、ＣＲＴ６Ｒ，ＣＲＴ６Ｇ及びＣＲＴ６Ｂに備えられたサブ偏向ヨーク８Ｒ，サブ偏向ヨーク８Ｇ及びサブ偏向ヨーク８Ｂに供給することで調整を行う。サブ偏向ブロック５のシステムＩＣ１１は、映像信号処理ブロック２から送出された水平同期信号ＨＳ及び垂直同期信号ＶＳに同期した補正波形信号を生成し、アンプ１２Ｒ，アンプ１２Ｂ及びアンプ１２Ｇを介して、後段のサブ偏向ヨーク８Ｒ，サブ偏向ヨーク８Ｇ及びサブ偏向ヨーク８Ｂのそれぞれに補正波形信号に対応した偏向電流を供給する。補正波形信号には、水平方向（Ｙライン）を補正する補正波形信号と、垂直方向（Ｘライン）を補正する補正波形信号とがあるので、図示しないが、システムＩＣ１１の偏向電流の出力は６系統あることになる。また、システムＩＣ１１に映像信号処理ブロック２より供給される水平同期信号ＨＳ及び垂直同期信号ＶＳは、メイン偏向回路４から送出されるようにしてもよい。なお、補正波形信号を生成するシステムＩＣ１１の動作については後述する。
【００２１】
また、システムＩＣ１１には、レジストレーション調整をする際に用いるクロスハッチパターン信号ＣＳを生成するクロスハッチパターンジェネレータが備えられている。ＣＰＵ９は、ユーザの操作により生成された所定の操作信号ＯＳが供給され、供給された操作信号ＯＳに基づきクロスハッチパターンジェネレータを制御する。クロスハッチパターンジェネレータは、ＣＰＵ９の制御によりクロスハッチパターン信号ＣＳを生成し、生成したクロスハッチパターン信号ＣＳをＣＲＴドライバ３へ供給する。
【００２２】
アンプ１２Ｒ，アンプ１２Ｂ及びアンプ１２Ｇは、送出された補正波形信号に対応した偏向電流を増幅してサブ偏向ヨーク８Ｒ，サブ偏向ヨーク８Ｇ及びサブ偏向ヨーク８Ｂに供給する。サブ偏向ヨーク８Ｒ，サブ偏向ヨーク８Ｇ及びサブ偏向ヨーク８Ｂは、ＣＲＴ６Ｒ，ＣＲＴ６Ｇ及びＣＲＴ６Ｂの図示しないカソード電極のそれぞれに供給される映像信号を偏向電流に応じて偏向させることで、レジストレーション調整を行う。また、アンプ１２Ｒ，アンプ１２Ｂ及びアンプ１２Ｇは、サブ偏向ヨーク８Ｒ，サブ偏向ヨーク８Ｇ及びサブ偏向ヨーク８Ｂのそれぞれが備える水平偏向コイル及び垂直偏向コイルにそれぞれ偏向電流を供給するための出力を２系統備えている。
【００２３】
ＣＰＵ９は、３管式ＣＲＴプロジェクタ１の各部を統括的に制御する制御部である。また、ＣＰＵ９は、コントローラ１０から供給される所定の操作信号ＯＳに応じて、サブ偏向ブロック５のシステムＩＣ１１を制御する。
【００２４】
コントローラ１０は、少なくとも調整用のキーと移動用のキー（後述するインクリメントキー及びデクリメントキー）とを有する。
【００２５】
次に図２を用いて、上述したレジストレーション調整用の補正波形信号を生成するシステムＩＣ１１について説明をする。システムＩＣ１１は、粗調用補正波形データが記憶される粗調用ＲＡＭ１３と、粗調補正波形信号データを生成する粗調波形生成部１４と、微調用補正波形データが記憶される微調用ＲＡＭ１５と、微調補正波形信号データを生成する微調波形生成部１６と、加算補正波形信号データを生成する粗調・微調加算ブロック１７と、加算補正波形信号データに基づき補正波形信号を生成する補間計算ブロック１８とを備えている。また、システムＩＣ１１は、システムＩＣ１１の動作を制御するプログラムが格納された、水平同期信号ＨＳを分周したシステムクロックを基準にして動作する図示しないロジック部を備えている。システムＩＣは、このロジック部によって制御される。
【００２６】
レジストレーション調整には、スクリーン全体の歪みや、色ズレを調整する粗調モードでの調整と、スクリーン上の水平方向（Ｙライン）及び垂直方向（Ｘライン）に所定の数だけ設けられた所定の調整ポイントを独立して調整する微調モードでの調整とがあり、３管式ＣＲＴプロジェクタ１では、粗調モードによって画像全体をレジストレーション調整してから微調モードにより粗調モードでは補えなかった箇所のレジストレーション調整を実行する。また、微調モードには、調整ポイントを独立して個別に調整するのではなく、水平方向の調整ポイント、垂直方向の調整ポイントをまとめてレジストレーション調整するＸＹ調整モードがある。
【００２７】
粗調用ＲＡＭ１３は、レジストレーション調整が行われると、ＣＰＵ９によってＲ信号、Ｇ信号及びＢ信号それぞれに対応した粗調用補正波形データが書き込まれ、書き込まれた粗調用補正波形データを記憶する。粗調用ＲＡＭ１３が記憶する粗調用補正波形データは、例えば、図３及び図４に示すように、水平中心を調整する"Ｈ ＣＥＮＴ"、水平斜めひずみを調整する"Ｈ ＳＫＥＷ"、水平振幅を調整する"Ｈ ＳＩＺＥ"、水平直線性を調整する"Ｈ ＬＩＮ"、糸巻型ひずみを調整する"Ｈ ＰＩＮ"、スクリーン中心の水平直線性を調整する"Ｈ ＭＬＩＮ"、スクリーン中心の水平振幅を調整する"Ｈ ＭＳＩＺＥ"、垂直中心を調整する"Ｖ ＣＥＮＴ"、垂直斜めひずみを調整する"Ｖ ＳＫＥＷ"、垂直振幅を調整する"Ｖ ＳＩＺＥ"、垂直直線性を調整する"Ｖ ＬＩＮ"、垂直台形型ひずみを調整する"Ｖ ＫＥＹ"、糸巻型ひずみを調整する"Ｖ ＰＩＮ"に対応した波形データである。粗調用ＲＡＭ１３に記憶される粗調用補正波形データは、レジストレーション調整が行われる度にユーザの指示によりＣＰＵ９によって書き換えられ更新される。また、ＣＰＵ９は、粗調用ＲＡＭ１３内の粗調用補正波形データを図示しないシステムＩＣ１１専用のＥＥＰＲＯＭ（Electrically Erasable Programmable Read-Only Memory）に書き込むことで、ＥＥＰＲＯＭに同じ粗調用補正波形データを保存する。３管式ＣＲＴプロジェクタ１のシステム電源をＯＦＦにすると粗調用ＲＡＭ１３で記憶されている粗調用補正波形データは消失するが、３管式ＣＲＴプロジェクタ１の起動時にＥＥＰＲＯＭから書き込まれる。
【００２８】
粗調波形生成部１４は、粗調用ＲＡＭ１３から図示しないロジック部によって読み出された粗調補正波形データから粗調補正波形信号データを生成する。
【００２９】
微調用ＲＡＭ１５は、レジストレーション調整が行われると、ＣＰＵ９によってＲ信号、Ｇ信号及びＢ信号それぞれに対応した微調用補正波形データが書き込まれ、書き込まれた微調用補正波形データを記憶する。微調用ＲＡＭ１５が記憶する微調用補正波形データは、例えば、スクリーン上に図５に示すように水平方向に９点（♯０〜♯＋１）、垂直方向に９点（♯０〜♯＋１）で、計８１点に設けられた調整ポイントにおける補正波形のデータである。なお、微調用ＲＡＭ１５が記憶する微調用補正波形データは、スクリーンが垂直圧縮されている場合には、図５に示すように、水平方向に７点（♯１〜♯７）で、垂直方向に７点（♯１〜♯７）で、計４９点に設けられた調整ポイントにおける補正波形のデータとなる。また、調整ポイントは、スクリーンの走査線上から所定の間隔で抽出したものである。
【００３０】
スクリーン上の調整ポイントが図５のように８１点あったとすると、微調用ＲＡＭ１５には、例えば、図６に示すように８１点の各調整ポイントに対して水平同期信号ＨＳに対応した微調用補正波形データと、垂直同期信号ＶＳに対応した微調用補正波形データとが格納されている。これがＲ信号、Ｇ信号及びＢ信号それぞれに対応して用意されているので、微調用ＲＡＭ１５には、少なくとも８１（調整ポイント数）×２（水平方向及び垂直方向の方向数）×３（Ｒ信号、Ｇ信号及びＢ信号の信号数）個の独立した記憶エリアが確保されることになる。微調用ＲＡＭ１５に記憶される微調用補正波形データは、レジストレーション調整が行われる度にユーザの指示によりＣＰＵ９によって書き換えられ更新される。また、ＣＰＵ９は、微調用ＲＡＭ１５内の微調用補正波形データを図示しないシステムＩＣ１１専用のＥＥＰＲＯＭ（Electrically Erasable Programmable Read-Only Memory）に書き込むことで、ＥＥＰＲＯＭに同じ微調用補正波形データを保存する。なお、３管式ＣＲＴプロジェクタ１のシステム電源をＯＦＦにすると、微調用ＲＡＭ１５で記憶されている微調用補正波形データは消失してしまうが、３管式ＣＲＴプロジェクタ１の起動時（システム電源ＯＮ時）にＥＥＰＲＯＭから書き込まれる。
【００３１】
微調波形生成部１６は、図示しないロジック部によって微調用ＲＡＭ１５から読み出された微調補正波形データから微調補正波形信号データを生成する。また、微調波形生成部１６は、ＸＹ調整モードの際には、図示しないロジック部によって微調用ＲＡＭ１５から読み出された所望の水平方向又は垂直方向の調整ポイントの微調補正波形データに基づいて、微調補正波形信号データを生成する。なお、ＸＹ調整モードでは、水平方向に並んでいる調整ポイントを１列単位で調整を行い、また、垂直方向に並んでいる調整ポイントを１行単位で調整を行う。
【００３２】
粗調・微調加算ブロック１７は、粗調波形生成部１４、微調波形生成部１６によってそれぞれ生成された粗調補正波形信号データと、微調補正波形信号データとを加算して加算補正波形信号データを生成する。
【００３３】
補間計算ブロック１８は、生成された加算補正波形信号データを補間計算して補正波形信号を生成し、生成した補正波形信号に対応した偏向電流を後段のアンプ１２Ｒ，１２Ｇ及び１２Ｂに供給する。
【００３４】
続いて、図７に示すフローチャートを用いて上述した３管式ＣＲＴプロジェクタ１のレジストレーション調整の動作について説明をする。
【００３５】
ステップＳ１において、ユーザは、メイン偏向調整を行う。ユーザは、コントローラ１０を操作し、ＣＰＵ９及びシステムＩＣ１１を介して、ＣＲＴドライバ３にメイン偏向調整を行う旨の命令を行う。ＣＲＴドライバ３は、メイン偏向調整を行う旨の命令に応じて、映像信号処理ブロック２から供給される水平同期信号ＨＳ及び垂直同期信号ＶＳをメイン偏向回路４に供給する。メイン偏向回路４は、ＣＲＴドライバ３から供給された水平同期信号ＨＳ及び垂直同期信号ＶＳに基づいて偏向電流を生成し、生成した偏向電流を偏向ヨーク７Ｒ，偏向ヨーク７Ｇ及び偏向ヨーク７Ｂに供給する。偏向ヨーク７Ｒ，偏向ヨーク７Ｇ及び偏向ヨーク７Ｂは、メイン偏向回路４から供給された偏向電流に基づき、ＣＲＴ６Ｒ、ＣＲＴ６Ｇ及びＣＲＴ６ＢにＣＲＴドライバ３から供給されるＲ信号、Ｇ信号及びＢ信号のメイン偏向調整を行う。
【００３６】
ステップＳ２において、ユーザは、スクリーン上の映像を粗調整する粗調モードを選択する。ユーザは、コントローラ１０を操作し、ＣＰＵ９を介してシステムＩＣ１１に粗調モードにする旨の命令を行う。なお、粗調モードは、スクリーン全体の歪み、色ズレなどのレジストレーション調整を行うモードである。
【００３７】
ユーザは、コントローラ１０を操作し、粗調を行うためのクロスハッチングパターンの表示をＣＰＵ９に指示する。これに応じて、ＣＰＵ９は、クロスハッチングパターンジェネレータを制御して、クロスハッチパターン信号ＣＳを生成させる。クロスハッチングパターンジェネレータによって生成されたクロスハッチパターン信号ＣＳは、ＣＲＴドライバ３を介してＣＲＴ６Ｒ，ＣＲＴ６Ｇ及びＣＲＴ６Ｂからスクリーン上にクロスハッチングパターンとして投射される。ユーザは、スクリーンに投射されたクロスハッチパターンを参照しながらレジストレーション調整（粗調整）を行う。粗調モードでのレジストレーション調整が終了するとステップＳ３に工程を進める。
【００３８】
ステップＳ３において、ユーザは、スクリーン上の映像を微調整する微調モードを選択する。ユーザは、コントローラ１０を操作し、ＣＰＵ９を介してシステムＩＣ１１に微調モードにする旨の命令を行う。なお、微調モードは、スクリーン上の調整ポイントにおける歪みや色ズレ等のレジストレーション調整を行うモードである。
【００３９】
ユーザは、コントローラ１０を操作し、微調を行うためのクロスハッチングパターンの表示をＣＰＵ９に指示する。これに応じて、ＣＰＵ９は、クロスハッチングパターンジェネレータを制御して、クロスハッチパターン信号ＣＳを生成させる。クロスハッチングパターンジェネレータによって生成されたクロスハッチパターン信号ＣＳは、ＣＲＴドライバ３を介してＣＲＴ６Ｒ，ＣＲＴ６Ｇ及びＣＲＴ６Ｂからスクリーン上にクロスハッチングパターンとして投射される。ユーザは、スクリーンに投射されたクロスハッチパターンを参照しながらレジストレーション調整（微調整）を行う。
【００４０】
ステップＳ４において、ユーザは、ＸＹ調整モードに入るかどうかを判断する。ＸＹ調整モードに入る場合には、工程をステップＳ５へと進め、ＸＹ調整モードに入らない場合いは、工程をステップＳ１３へと進める。
【００４１】
ステップＳ５において、ユーザは、コントローラ１０を操作し、ＸＹ調整モードに入る。コントローラ１０は、ユーザの操作に応じてＸＹ調整モード用の操作信号ＯＳを生成し、生成した操作信号ＯＳをＣＰＵ９に供給する。ＣＰＵ９は、コントローラ１０から供給された操作信号ＯＳに応じてシステムＩＣ１１を制御してＸＹ調整モードに入る。
【００４２】
ステップＳ６において、ユーザは、クロスハッチングパターンを参照し、コントローラ１０により水平方向の調整ポイント１列（以下、Ｈラインという）又は垂直方向の調整ポイント１行（以下、Ｖラインという）を指定する。
【００４３】
調整ポイントは、スクリーンの走査線上から所定の間隔で抽出される。例えば、調整ポイントが、図８（ａ）及び図８（ｂ）に示すように、スクリーン上に８１点（水平方向に並んでいる点（Ｈ♯０〜Ｈ♯＋１（９点））×垂直方向に並んでいる点（Ｖ♯０〜Ｖ♯＋１（９点））設けられているとき、コントローラ１０によりＨ♯５ラインが指定された場合、Ｈ♯５ラインに並んでいる調整ポイント１列の９点が列カーソルで選択される。また、コントローラ１０によりＶ♯３ラインが指定された場合、Ｖ♯３ラインに並んでいる調整ポイント１列の９点が行カーソルで選択される。
【００４４】
ステップＳ７において、調整用ＲＡＭ１５から微調整用補正波形データを読み出す。システムＩＣ１１の図示しないロジック部は、ステップＳ６でユーザにより指定されたＨライン又はＶラインに応じて、微調用ＲＡＭ１５に記憶されている微調用補正波形データを読み出し、読み出した微調用補正波形データを微調波形生成部１６に供給する。例えば、ロジック部は、ユーザによってＶ♯３ラインが指定された場合、微調用ＲＡＭ１５からＶ♯３ラインに並んでいる９個の調整ポイントの水平同期信号ＨＳ及び垂直同期信号ＶＳに対応した微調補正波形データを読み出し、読み出した微調用補正波形データを微調波形生成部１６に供給する。
【００４５】
ステップＳ８において、システムＩＣ１１のロジック部は、微調補正波形信号データを生成する。システムＩＣ１１のロジック部は、微調波形生成部１６を制御して微調用ＲＡＭ１５から読み出されたＨライン又はＶラインの微調用補正波形データに基づいて、水平同期信号ＨＳ及び垂直同期信号ＶＳにそれぞれ同期した微調補正波形信号データを生成する。
【００４６】
ステップＳ９において、システムＩＣ１１のロジック部は、粗調・微調加算ブロック１７を制御してステップＳ２で生成した粗調補正波形信号データと、ステップＳ８で生成した微調補正波形信号データとを加算して水平同期信号ＨＳ及び垂直同期信号ＶＳにそれぞれ同期した加算補正波形信号データを生成させる。さらに、ロジック部は、補間計算ブロック１８を制御し、生成された加算補正波形信号データに調整ポイント間の補間計算をして水平周期の補正波形信号及び垂直周期の補正波形信号を生成させ、生成された水平周期の補正波形信号及び垂直周期の補正波形信号に対応した偏向電流をアンプ１２Ｒ，アンプ１２Ｇ及びアンプ１２Ｂに出力させる。
【００４７】
ステップＳ１０において、ユーザは、クロスハッチングパターンを参照して、コントローラ１０を操作し、補正波形信号を変更するための所望の値を入力する。この時、補正波形信号を補正する場合には、補正値を入力し、工程をステップＳ１１へと進め、補正波形信号を補正する必要がない場合には、工程をステップＳ１２へと進める。
【００４８】
ステップＳ１１において、ＣＰＵ９は、ステップＳ１０でユーザから図示しないコントロールパネルを介して入力された補正値に応じて、ステップＳ６で指定されたＨライン又はＶラインに対応する微調用ＲＡＭ１５に記憶されている微調用補正波形データの値を全て更新する。ＣＰＵ９は、微調用補正波形データの更新後、微調用ＲＡＭ１５内に記憶されている微調用補正波形データをシステムＩＣ１１専用の図示しないＥＥＰＲＯＭに書き込み、保存する。
【００４９】
なお、ステップＳ１１の工程が終了すると再びステップＳ７からの工程が繰り返され、ユーザによる補正値を反映させた補正波形信号が生成され、レジストレーション調整（微調整）が行われる。また、ステップＳ７〜ステップＳ１０が終了し、ステップＳ１１へ進み、再びステップＳ７〜ステップＳ１０の工程が繰り返されるループにおいて、ステップＳ７で読み出されるＨライン又はＶラインの微調用補正波形データは、このループに入る前にステップＳ６で指定されたＨライン又はＶラインである。
【００５０】
ステップＳ１２において、ＣＰＵ９は、図示しないコントロールパネルを介してユーザからＸＹ調整モードを終了させる旨の信号が入力された場合には、工程をステップＳ１３へと進め、入力がない場合には、工程をステップＳ６へと戻し、ＸＹ調整モードを継続させる。
【００５１】
ステップＳ１３において、ＣＰＵ９は、個々の調整ポイントに対してレジストレーション調整を行う。
【００５２】
ステップＳ１４において、ＣＰＵ９は、微調モードを終了させるかどうかの判断を行い、微調モードを終了させると判断しなかった場合（ユーザから微調モードを終了させる旨の信号が入力されなかった場合）には、工程をステップＳ４へと戻し、微調モードを継続させる。
【００５３】
このようにして３管式ＣＲＴプロジェクタ１において、レジストレーション調整をする際、調整ポイントをＨライン又はＶラインでレジストレーション調整をすることで、微調モードでの煩雑な操作を解消させることができる。
【００５４】
なお、図７のフローチャートでは示していないが、ステップＳ３以下の微調モードに工程が進んでいる場合、ユーザは図示しないコントロールパネルから所定のコマンドを入力することによってステップＳ２の粗調へと自在に工程を戻すことができる。
【００５５】
また、３管式ＣＲＴプロジェクタ１は、ステップＳ５〜ステップＳ１２において、Ｈライン又はＶラインがスクリーンの一方端側に達した場合に、スクリーンの他方端側に移動し、途切れることなく調整工程を進めることができる。ここで、ＸＹ調整において、Ｈライン又はＶラインがスクリーンの一方端側から他方端側に移動する手順について図９を用いて説明する。なお、Ｈラインをスクリーンの中央から一方端側（例えば、Ｈ♯＋１ライン側）に移動する場合に押圧されるキー（以下「インクリメントキー」という）と、Ｈラインをスクリーンの中央から他方端側（例えば、Ｈ♯０ライン側）に移動する場合に押圧されるキー（以下「デクリメントキー」という）とを有するものとする。また、インクリメントキーは、Ｖラインをスクリーンの中央から一方端側（例えば、Ｖ♯０ライン側）に移動する場合にも利用され、デクリメントキーは、Ｖラインをスクリーンの中央から他方端側（例えば、Ｖ♯＋１ライン側）に移動する場合にも利用される。また、ＸＹ調整においては、Ｈライン（Ｙ方向）の調整を行う場合には、Ｈ♯４ラインを調整開始ラインとし、Ｖライン（Ｘ方向）の調整を行う場合には、Ｖ♯４ラインを調整開始ラインとする。また、図９は、アルゴリズムの構造を表すＰＡＤ（Problem Analysis Diagram）図で表したものである。
【００５６】
ステップＳ２０において、ＣＰＵ９は、ユーザによりインクリメントキーが押圧されたかどうかを判断し、押圧されたと判断した場合にはステップＳ２１に進み、押圧されなかったと判断した場合にはステップＳ３２に進む。
【００５７】
ステップＳ２１において、ＣＰＵ９は、Ｖライン（Ｘ方向）の調整が選択されたかどうかを判断し、選択されたと判断した場合にはステップＳ２２に進み、選択されなかったと判断した場合、すなわちＨライン（Ｙ方向）の調整が選択された場合にはステップＳ２９に進む。
【００５８】
ステップＳ２２において、ＣＰＵ９は、スクリーンが垂直圧縮（Ｖ Ｃｏｍｐ．）されているかどうかを判断し、垂直圧縮されていると判断した場合にはステップＳ２３に進み、垂直圧縮されていないと判断した場合にはステップＳ２６に進む。
【００５９】
ステップＳ２３において、ＣＰＵ９は、調整対象となっているＶラインがＶ♯１ラインであるかどうか、すなわち現在Ｖ♯１ラインが選択されているかどうかを判断し、ＶラインがＶ♯１ラインの場合にはステップＳ２４に進み、ＶラインがＶ♯１ラインではない場合にはステップＳ２５に進む。
【００６０】
ステップＳ２４において、ＣＰＵ９は、ＶラインをＶ♯７ラインに移動する。ＣＰＵ９は、Ｖラインの移動後、最初のＸＹ調整モードに戻る。
【００６１】
ステップＳ２５において、ＣＰＵ９は、Ｖラインを１列だけＶ♯１ライン側へインクリメントする。ＣＰＵ９は、Ｖラインをインクリメントした後、最初のＸＹ調整モードに戻る。
【００６２】
ステップＳ２６において、ＣＰＵ９は、調整対象となっているＶラインがＶ♯０ラインであるかどうか、すなわち現在Ｖ♯０ラインが選択されているかどうかを判断し、ＶラインがＶ♯０ラインである場合にはステップＳ２７に進み、ＶラインがＶ♯０ラインではない場合にはステップＳ２８に進む。
【００６３】
ステップＳ２７において、ＣＰＵ９は、ＶラインをＶ♯＋１ラインに移動する。ＣＰＵ９は、Ｖラインの移動後、最初のＸＹ調整モードに戻る。
【００６４】
ステップＳ２８において、ＣＰＵ９は、Ｖラインを１列だけＶ♯０ライン側へインクリメントする。ＣＰＵ９は、Ｖラインをインクリメントした後、最初のＸＹ調整モードに戻る。
【００６５】
ステップＳ２９において、ＣＰＵ９は、調整対象となっているＨラインがＨ♯＋１ラインであるかどうか、すなわち現在Ｈ♯＋１ラインが選択されているかどうかを判断し、ＨラインがＨ♯＋１ラインである場合にはステップＳ３０に進み、ＨラインがＨ♯＋１ラインでない場合にはステップＳ３１に進む。
【００６６】
ステップＳ３０において、ＣＰＵ９は、ＨラインをＨ♯０ラインに移動する。ＣＰＵ９は、Ｈラインの移動後、最初のＸＹ調整モードに戻る。
【００６７】
ステップＳ３１において、ＣＰＵ９は、Ｈラインを１行だけＨ♯＋１ライン側へインクリメントする。ＣＰＵ９は、Ｈラインをインクリメントした後、最初のＸＹ調整モードに戻る。
【００６８】
ステップＳ３２において、ＣＰＵ９は、ユーザによりデクリメントキーが押圧されたかどうかを判断し、押圧されたと判断した場合にはステップＳ３３に進み、押圧されなかったと判断した場合にはステップＳ４４に進む。
【００６９】
ステップＳ３３において、ＣＰＵ９は、Ｖライン（Ｘ方向）の調整が選択されたかどうかを判断し、選択されたと判断した場合にはステップＳ３４に進み、選択されなかったと判断した場合、すなわちＨライン（Ｙ方向）の調整が選択された場合にはステップＳ４１に進む。
【００７０】
ステップＳ３４において、ＣＰＵ９は、スクリーンが垂直圧縮（Ｖ Ｃｏｍｐ．）されているかどうかを判断し、垂直圧縮されていると判断した場合にはステップＳ３５に進み、垂直圧縮されていないと判断した場合にはステップＳ３７に進む。
【００７１】
ステップＳ３５において、ＣＰＵ９は、調整対象となっているＶラインがＶ♯７ラインであるかどうか、すなわち現在Ｖ♯７ラインが選択されているかどうかを判断し、ＶラインがＶ♯７ラインの場合にはステップＳ３６に進み、ＶラインがＶ♯７ラインではない場合にはステップＳ３７に進む。
【００７２】
ステップＳ３６において、ＣＰＵ９は、ＶラインをＶ♯１ラインに移動する。ＣＰＵ９は、Ｖラインの移動後、最初のＸＹ調整モードに戻る。
【００７３】
ステップＳ３７において、ＣＰＵ９は、Ｖラインを１列だけＶ♯７ライン側へデクリメントする。ＣＰＵ９は、Ｖラインをデクリメントした後、最初のＸＹ調整モードに戻る。
【００７４】
ステップＳ３８において、ＣＰＵ９は、調整対象となっているＶラインがＶ♯＋１ラインであるかどうか、すなわち現在Ｖ♯＋１ラインが選択されているかどうかを判断し、ＶラインがＶ♯＋１ラインの場合にはステップＳ３９に進み、ＶラインがＶ♯＋１ラインでない場合にはステップＳ４０に進む。
【００７５】
ステップＳ３９において、ＣＰＵ９は、ＶラインをＶ♯０ラインに移動する。ＣＰＵ９は、Ｖラインの移動後、最初のＸＹ調整モードに戻る。
【００７６】
ステップＳ４０において、ＣＰＵ９は、Ｖラインを１列だけＶ♯＋１ライン側へデクリメントする。ＣＰＵ９は、Ｖラインをデクリメントした後、最初のＸＹ調整モードに戻る。
【００７７】
ステップＳ４１において、ＣＰＵ９は、調整対象となっているＨラインがＨ♯０ラインであるかどうか、すなわち現在Ｈ♯０ラインが調整対象として選択されているかどうかを判断し、ＨラインがＨ♯０ラインである場合にはステップＳ４２に進み、ＨラインがＨ♯０ラインでない場合にはステップＳ４３に進む。
【００７８】
ステップＳ４２において、ＣＰＵ９は、ＨラインをＨ♯＋１ラインに移動する。ＣＰＵ９は、Ｈラインの移動後、最初のＸＹ調整モードに戻る。
【００７９】
ステップＳ４３において、ＣＰＵ９は、Ｈラインを１行だけＨ♯０ライン側へデクリメントする。ＣＰＵ９は、Ｈラインをデクリメントした後、最初のＸＹ調整モードに戻る。
【００８０】
ステップＳ４４において、ＣＰＵ９は、ＸＹ調整モードにおいて、ユーザによりインクリメントキーもデクリメントキーも押圧されないときには、現在調整対象となっているＨライン又はＶラインの調整を行い、調整後、ＸＹ調整モードに戻る。なお、Ｈライン又はＶラインの調整を行う際には、インクリメントキー及びデクリメントキーとは別の調整用キーを操作することにより行う。
【００８１】
このようにして、本発明に係る３管式プロジェクタ１は、スクリーンに投射されている映像のレジストレーション調整（微調整）を行う際に、調整用のキーとは別に、Ｈライン又はＶラインをスクリーン上を移動させるインクリメントキーとデクリメントキーを有しているので、レジストレーション調整を円滑に行うことができ、また、Ｈライン又はＶラインがスクリーン上の一方端側に達した場合に、他方端側に移動するので、ユーザに特別の操作を要求することなくレジストレーション調整を連続的に行うことができる。
【００８２】
また、本発明は、実施の形態として３管式ＣＲＴプロジェクタ１を用いているが、これに限定されるものではなく、１管式のＣＲＴにおけるコンバージェンス回路にも適用することができる。
【図面の簡単な説明】
【００８３】
【図１】本発明に係る３管式ＣＲＴプロジェクタの要部構成を説明するためのブロック図である。
【図２】図１に示す３管式ＣＲＴプロジェクタにおいて、システムＩＣの要部構成を説明するためのブロック図である。
【図３】図１に示す３管式ＣＲＴプロジェクタにおいて、粗調用ＲＡＭに記憶されている粗調補正波形データについて説明するための第１の図である。
【図４】図１に示す３管式ＣＲＴプロジェクタにおいて、粗調用ＲＡＭに記憶されている粗調補正波形データについて説明するための第２の図である。
【図５】図１に示す３管式ＣＲＴプロジェクタにおいて、微調モードにおける調整ポイントについて説明するための図である。
【図６】図１に示す３管式ＣＲＴプロジェクタにおいて、微調用ＲＡＭの記憶エリアについて説明するための図である。
【図７】図１に示す３管式ＣＲＴプロジェクタにおいて、レジストレーション調整をする際の動作について説明するためのフローチャートである。
【図８】図１に示す３管式ＣＲＴプロジェクタにおいて、（ａ）は水平ラインについて説明するための図であり、（ｂ）は垂直ラインについて説明するための図である。
【図９】図１に示す３管式ＣＲＴプロジェクタにおいて、ＸＹ調整を行う際のＨライン及びＶラインの移動方法について説明するためのＰＡＤ図である。
【図１０】従来の技術として示す３管式ＣＲＴプロジェクタについて説明するための図である。
【図１１】図１０に示す３管式ＣＲＴプロジェクタにおいて、レジストレーション調整をする際の動作について説明するためのフローチャートである。
【符号の説明】
【００８４】
１  ３管式ＣＲＴプロジェクタ、２  映像信号処理ブロック、３  ＣＲＴドライバ、４  メイン偏向回路、５  レジストレーション補正用回路ブロック（サブ偏向ブロック）、６Ｒ，６Ｇ，６Ｂ  ＣＲＴ、９  ＣＰＵ、１０  コントローラ
【図１】
2005121978.tif 000003
【図２】
2005121978.tif 000004
【図３】
2005121978.tif 000005
【図４】
2005121978.tif 000006
【図５】
2005121978.tif 000007
【図６】
2005121978.tif 000008
【図７】
2005121978.tif 000009
【図８】
2005121978.tif 000010
【図９】
2005121978.tif 000011
【図１０】
2005121978.tif 000012
【図１１】
2005121978.tif 000013